(57)【特許請求の範囲】
【請求項１】
E-UTRANで通信するように構成されるユーザー装置(UE)であって：
トランシーバ；及び
前記トランシーバに結合されるプロセッサ；
を有し、前記プロセッサは：
E-UTRANのノードB(eNB)からの信号を測定し；
対応する専用ノードを前記eNBがサポートするか否かを判定し；及び
前記の信号の測定と前記eNBが専用ノードをサポートするか否かの判断とにより、セル選択基準を計算する；
ように構成され、前記プロセッサは、所定のカテゴリに属するeNBのオフセットに基づいて、前記専用ノードをサポートする隣接eNBの再選択基準を計算するように更に構成されることを特徴とするUE。
【請求項２】
前記プロセッサは、専用の無線アクセスネットワーク(RAN)ノード及び専用のコアネットワークノードより成る群から選択される専用ノードを前記eNBがサポートするか否かを判定するように構成される、請求項1に記載のUE。
【請求項３】
前記プロセッサは、前記eNBが特定のアプリケーション/サービスをサポートするか否かを判定するように、及び、前記eNBが前記特定のアプリケーション/サービスをサポートするか否かの判定に基づいて、前記セル選択基準を計算するように構成される、請求項1に記載のUE。
【請求項４】
前記プロセッサは、前記eNBが所定のカテゴリに関連するか否かを判定するように、及び、前記eNBが前記所定のカテゴリに関連するか否かの判定に基づいて、前記セル選択基準を計算するように構成される、請求項1に記載のUE。
【請求項５】
前記eNBは対応する専用ノードをサポートしておらず、前記プロセッサは：
隣接eNBが対応する専用ノードをサポートするか否かを判定し；
前記隣接eNBからの信号を測定し；
前記隣接eNBについての再選択基準を計算し；及び
前記再選択基準が閾値を超えるか否かを判定する
ように構成される、請求項1に記載のUE。
【請求項６】
前記プロセッサは、前記隣接eNBが対応する専用ノードをサポートするか否かに基づいて、前記閾値を選択するように構成される、請求項5に記載のUE。
【請求項７】
前記プロセッサは、前記eNBからシステム情報ブロック(SIB)を受信することにより、前記eNBが前記専用ノードをサポートするか否かを判定するように構成される、請求項1に記載のUE。
【請求項８】
前記プロセッサは、移動管理エンティティ(MME)が専用MMEであるか否かを、前記MMEが専用MMEであるか否かを示すMME識別子を受信することにより判定するように構成される、請求項1ないし7のうちの何れか一項に記載のUE。
【請求項９】
優先ノードに基づいてセルを選択する方法であって：
対応する専用コアネットワークをサポートしない基地局と通信可能に結合すること；
プロセッサを利用して、隣接基地局が、対応する専用コアネットワークをサポートしていることを判定すること；
前記プロセッサを利用して、前記基地局に対する再選択基準を、対応する信号測定値に基づいて計算すること；
前記プロセッサを利用して、対応する信号測定値と、対応する専用コアネットワークをサポートする基地局に対する所定のオフセットとに基づいて、前記隣接基地局の再選択基準を計算すること；及び
前記プロセッサを利用して、前記基地局の再選択基準を前記隣接基地局の再選択基準と比較し、前記隣接基地局を再選択するか否かを判定すること；
を有し、前記隣接基地局の再選択基準は、所定のカテゴリに属する基地局のオフセットに基づいて計算される、方法。
【請求項１０】
前記隣接基地局の再選択基準は、特定のアプリケーション、特定のノードタイプ、特定のトラフィックタイプ、特定の申し込み、及び、特定のデバイスモビリティより成る群から選択される特徴をサポートする基地局に対するオフセットに基づいて計算される、請求項9に記載の方法。
【請求項１１】
前記プロセッサは、基地局がマシン型通信をサポートするか否かに基づいて、前記オフセットを選択するように構成される、請求項9に記載の方法。
【請求項１２】
前記隣接基地局によりサポートされるアプリケーションを示すビットマップを受信することを更に有する請求項9に記載の方法。
【請求項１３】
前記隣接基地局が、対応する専用コアネットワークをサポートしていることを判定することは、前記隣接基地局が前記対応する専用コアネットワークをサポートしていることの指示を受信することを含む、請求項9に記載の方法。
【請求項１４】
前記指示は、アクセスネットワーク発見選択機能メッセージ、ノンアクセスストラタムメッセージ、及び、システム報知情報より成る群から選択される、請求項13に記載の方法。
【請求項１５】
前記隣接基地局が、対応する専用コアネットワークをサポートしていることを判定することは、専用コアネットワークの識別子を受信することを含む、請求項9に記載の方法。
【請求項１６】
前記隣接基地局への再選択の判断に応じて、前記隣接基地局へ再選択を行うことを更に有する請求項9に記載の方法。
【請求項１７】
請求項9ないし16のうち何れか一項に記載の方法を、装置のコンピュータに実行させるコンピュータプログラム。
【請求項１８】
請求項17に記載のコンピュータプログラムを保存する記憶媒体。
【請求項１９】
回路を有する無線通信装置であって、前記回路は：
基地局が対応する専用ノードをサポートするか否かに基づいて、オフセットを選択し；
前記基地局により送信される信号の信号測定値を受信し；
前記オフセット及び前記信号測定値に基づいて選択基準を計算し；及び
前記選択基準に基づいて、前記基地局を選択するか否かを判定する
ように構成され、前記回路は、所定のカテゴリに属する基地局のオフセットに基づいて、前記専用ノードをサポートする隣接基地局の再選択基準を計算するように更に構成されることを特徴とする無線通信装置。
【請求項２０】
前記回路は、何れのアプリケーション及びサービスが前記基地局により提供されるかに基づいて、前記オフセットを選択するように構成される、請求項19に記載の無線通信装置。
【請求項２１】
前記回路は、前記基地局がマシン型通信をサポートするか否かに基づいて、前記オフセットを選択するように構成される、請求項19に記載の無線通信装置。
【請求項２２】
前記回路は：
隣接基地局が対応する専用ノードをサポートするか否かに基づいて、再選択オフセットを選択し；
前記隣接基地局により送信される信号の信号測定値を受信し；
前記隣接基地局により送信された前記信号の信号測定値及び再選択オフセットに基づいて、再選択基準を計算し；
前記再選択基準に基づいて、前記隣接基地局を再選択するか否かを判定する；
ように更に構成される、請求項19に記載の無線通信装置。
【請求項２３】
前記無線通信装置は、専用の無線通信装置であるように事前に設定されている、請求項19に記載の無線通信装置。
【請求項２４】
前記回路は、前記対応する専用ノードに関する識別子における1つ以上の反転されたビットに基づいて、前記基地局が前記対応する専用ノードをサポートするか否かを判定するように構成される、請求項19ないし23のうちの何れか一項に記載の無線通信装置。
【発明の詳細な説明】
【技術分野】
【０００１】
[関連出願]
本願は2014年5月8日付けで出願された米国仮特許出願番号第61/990,650号による優先的な恩恵を享受し、米国仮特許出願の全体は本願のリファレンスに組み込まれる。
【０００２】
本開示は優先ノードに基づくセル選択のためのシステム、方法及びデバイスに関連する。
【図面の簡単な説明】
【０００３】
【図１】複数のMME/SGW及びeNBを有するシステムの概略図。
【０００４】
【図２】様々なタイプの複数のeNBを含むシステムの概略図。
【０００５】
【図３】複数のeNB及びそれらの対応するカバレッジ領域を含むシステムの概略図。
【０００６】
【図４】専用ノードによりサポートされるアプリケーション及び/又はサービスで通信するシステムの概略図。
【０００７】
【図５】一実施例によるGUMMEIの構成の概略図。
【０００８】
【図６】eNBのカテゴリに基づいてeNBを選択及び/又は再選択する方法のフローチャート。
【０００９】
【図７】各eNBの優先度に基づいてeNBを選択及び/又は再選択することが可能なUEの概略図。
【発明を実施するための形態】
【００１０】
無線モバイル通信技術は、基地局と無線通信装置との間でデータを伝送するために、様々な規格及びプロトコルを利用する。無線通信システムの規格及びプロトコルは、例えば、3GPPロングタームエボリューション(long  term  evolution：LTE)；WiMAX(worldwide  interoperability  for  microwave  access)として業界で一般に知られているIEEE(Institute  of  Electrical  and  Electronics  Engineers)802.16規格；WLAN(Wireless  Local  Area  Network)又はWi-Fiとして業界で知られているIEEE802.11規格などを含むことが可能である。LTEシステムの3GPP無線アクセスネットワーク(RAN)においては、基地局は、E-UTRAN(Evolved  Universal  Terrestrial  Radio  Access  Network)のNodeB(一般に、エボルブドノードB、エンハンストノードB、eNodeB又はeNB等と言及される)及び/又はE-UTRANの無線ネットワークコントローラ(Radio  Network  Controllers：RNC)を含み、基地局はユーザー装置(user  equipment：UE)として知られる無線通信装置と通信する。LTEネットワークでは、E-UTRANは、複数のeNodeBsを含み、複数のUEsと通信してよい。エボルブドパケットコア(evolved  packet  core：EPC)は、インターネット等のような外部ネットワークに、E-UTRANを通信可能に接続する。LTEネットワークは、無線アクセス技術(radio  access  technology：RAT)及びコア無線ネットワークアーキテクチャを含み、高速なデータレート、低遅延、パケット最適化、及び、改善されたシステム容量及びカバレッジを提供することができる。
【００１１】
無線通信ネットワークは、1つ以上の専用ネットワークノードを含んでよい。例えば、RAN及び/又はEPCは、専用RAN及び/又は専用EPCであってよい。専用ノードは、同じ特徴を共有するUEsにとって専用であってもよい。専用ノードは、UEsにとって最適化され、従って、UEs及び/又は関連するトラフィックをいっそう効率的に取り扱う。ソフトウェア構築ネットワーキング及びネットワーク機能の仮想化は、専用ノードの迅速かつ適正価格による配備を許容する(例えば、モビリティ管理エンティティ(mobility  management  entity：MME)は、仮想ネットワーク機能としてインスタンス化されてよい)。一実施例において、専用ノードは、マシン型通信(machine-type  communication  (MTC))、複雑でない/カテゴリ0のUEs、及び/又は、モノのインターネット(Internet  of  Things  (IoT))のUEs(例えば、小さなデータ、健康管理、セキュリティ等のためのUEs)をサポートしてもよい。専用ノードは、常時接続、スモールデータ、頻繁なデータ転送、高優先度アクセス、ヘルスケア、ビデオ監視ネットワーク等に関するサポートを提供する。代替的又は追加的に、専用ノードは、UEが実行している特定のサービス/アプリケーションのためのサポートを提供してもよい。
【００１２】
UEは、eNBを選択すべきか否か、そこにキャンプ(又は在圏)すべきか否か、及び/又は、他のeNBからそのeNBに再選択すべきか否かを判定するために、eNBからの信号を測定する。例えば、UEは、RSRP(Reference  Signal  Received  Power)や、RSRQ(Reference  Signal  Received  Quality)等を測定することにより、eNBからの信号を測定してもよい。測定された信号が所定の基準を充足する場合、UEは対応するeNBを選択及び/又は再選択してよい。選択及び/又は再選択の基準は、UEの特徴に基づいて、及び、eNBが対応する専用ノードをサポートするか否かに基づいて、調整されてもよい。eNBが専用eNBである場合；eNBが専用MME、サービングゲートウェイ(serving  gateway：SGW)、パケットデータネットワークゲートウェイ(packet  data  network  gateway：PGW)等に通信可能に結合される場合、eNBは対応する専用ノードをサポートする。選択及び/又は再選択の基準は、ノードが特定のアプリケーションを供給するように最適化されているか否か、アプリケーションカテゴリ、サービス品質クラス識別子(quality  of  service  class  identifier：QCI)等(UEはそれらとともに構成されている)に基づいて調整されてよい。調整基準は、改善されたオフロードを提供し、かつ、UEによるセル選択/再選択においてピンポン現象(又はばたつき)を回避する。
【００１３】
セル選択は、専用RAN、専用EPC及び/又はそれら双方のような専用ノードをサポートしているeNBに優先性を付与してもよい。オフセットは、専用ノードをサポートするeNBに関して含まれてもよい。例えば、品質基準Squalは、次の数式に従って計算されてもよい：
Squal＝Qqualmeas−{Qqualmin＋Qqualminoffset＋Qqualoffsetdedicated)      (1)
ここで、Qqualmeasは測定されたセル品質値(例えば、RSRQ)であり、Qqualminはそのセルにおける必要最低品質であり、QqualminoffsetはシグナリングされるQqualminに対するオフセットであり、ビジターPLMN(VPLMN)に通常キャンプする一方、高優先度のPLMN(public  land  mobile  network)に対する周期的なサーチの結果として、Squalの評価に考慮されるものである。Qqualoffsetdedicatedは、セルが専用ネットワークをサポートするか否かを考慮するためのオフセットである。各々の専用ネットワーク又は専用ネットワークのタイプは、Qqualoffsetdedicatedに関して異なる値を有し得る。Qqualoffsetdedicatedの値は、実施例及び/又はコンフィギュレーションに応じて正であっても負であってもよい。
【００１４】
専用EPCに対するものとは異なるオフセットが、専用RANに使用されてもよい。例えば、品質基準Squalは、次の数式を利用して、専用RAN、専用EPC又は双方の存否に基づいて別様に計算されてもよい：
Squal=Qqualmeas−(Qqualmin＋Qqualminoffset＋QqualoffsetdedicatedRAN)    (2)
Squal=Qqualmeas−(Qqualmin＋Qqualminoffset＋QqualoffsetdedicatedEPC)    (3)
Squal=Qqualmeas−(Qqualmin＋Qqualminoffset＋QqualoffsetdedicatedRAN＋QqualoffsetdedicatedEPC)  (4)
ここで、QqualoffsetdedicatedRANはeNBが専用RANをサポートすることを考慮に入れるオフセットであり、QqualoffsetdedicatedEPCはeNBが専用EPCをサポートすることを考慮に入れるオフセットである。それぞれの専用RANは異なるオフセットを有してもよく、それぞれの専用EPCも異なるオフセットを有してよい。
【００１５】
同様に、電力レベル基準は、eNBが専用ノードをサポートするか否かを考慮するために、オフセットを利用して計算されてもよい。例えば、品質基準Srxlevは、次の数式に従って計算されてもよい：
Srxlev＝Qrxlevmeas−(Qrxlevmin＋Qrxlevminoffset)−Pcompensation＋Qrxlevoffsetdedicated  (5)
ここで、Qrxlevmeasは測定されるセルのRXレベル値(例えば、RSRP)であり、Qrxlevminはセルにおける必要最低RXレベルであり、QrxlevminoffsetはシグナリングされたQrxlevminに対するオフセットであり、VPLMNに通常キャンプする一方、高優先度のPLMNに対する周期的なサーチの結果として、Srxlevの評価に考慮されるものである。Pcompensationは、ゼロ、及び、このセルで使用される最大UE電力とUEの電力クラスによる最大UE電力との間の差分のうちの最大値関数であり、Qrxlevoffsetdedicatedはセルが専用ネットワークをサポートするか否か考慮するためのオフセットである。各々の専用ネットワーク又は専用ネットワークのタイプは、Qrxlevoffsetdedicatedについて異なる値を有してもよい。Qrxlevoffsetdedicatedの値は実施例及び/又はコンフィギュレーションに応じて正であっても負であってもよい。
【００１６】
専用EPCに対するものとは異なるオフセットが、専用RANに対して使用されてもよい。例えば、品質基準Srxlevは、専用RAN、専用EPC又は双方の存否に基づいて、以下の数式を利用して別様に計算されてもよい：
Srxlev＝Qrxlevmeas−(Qrxlevmin＋Qrxlevminoffset)−Pcompensation＋QrxlevoffsetdedicatedRAN  (6)
Srxlev＝Qrxlevmeas−(Qrxlevmin＋Qrxlevminoffset)−Pcompensation＋QrxlevoffsetdedicatedEPC  (7)
Srxlev＝Qrxlevmeas−(Qrxlevmin＋Qrxlevminoffset)−Pcompensation＋QrxlevoffsetdedicatedRAN＋QrxlevoffsetdedicatedEPC  (8)
ここで、QrxlevoffsetdedicatedRANはeNBが専用RANをサポートすることを考慮に入れるためのオフセットであり、QrxlevoffsetdedicatedEPCはeNBが専用EPCをサポートすることを考慮に入れるためのオフセットである。各々の専用RANは異なるオフセットを有してもよく、各々のEPCが異なるオフセットを有してもよい。様々なタイプのノード(例えば、MTCノード、IoTノード等)は、(例えば、Squal、Srxlev等のような)選択基準の計算のために適用される様々なオフセットを有してもよい。
【００１７】
セル選択のためのオフセットが、ノードによりサポート及び/又は優先される様々なアプリケーション/サービスに適用されてもよい。アプリケーション/サービスは、対話式のもの(例えば、ゲーム)、ビデオ(例えば、キャッシング機能)等を含んでもよい。ノードによりサポート及び/又は優先されるアプリケーションを指定するために、ビットマップが使用されてもよい。各々のビットは、そのビットに対応する所定の特定のアプリケーション/サービスを、ノードがサポート及び/又は優先するか否かを示す。UEの所望のアプリケーション/サービスのビットマップは、(例えば、ビット毎のANDを実行することにより)ノードのビットマップと比較され、一致の存否、及び/又は、一致が幾つ存在するかを判定してもよい。一致が発見された場合、オフセットが決定されてもよい。提供されるアプリケーション/サービスのビットマップは、選択基準を計算する際に使用される対応するオフセット値とともに送信されてもよい。最大のオフセットや、オフセットの合計等が、任意の合致に対して決定されてもよい。決定されたオフセットを利用して、セル選択手順が適用されてもよい。
【００１８】
ある特徴を共有するノード群及び/又はノードグループは、或るカテゴリに割り振られてもよい。例えば、MTCトラフィックや、スモールデータトラフィック等をサポートするMTCセルグループが、或るカテゴリに割り振られてもよい。カテゴリは、仕様で事前に決定されてもよいし、ネットワークオペレータにより事前に決定されてもよいし、等々である。ノード群及び/又はノードグループは、何れのセル、何れの周波数又は何れのグループが各カテゴリに所属するかをUEに通知してもよい。UEは、所定の一群のルールを利用して、何れのカテゴリ及び/又はグループを選択するかを決定する。ルールは、時間、場所、コンフィギュレーション情報、報知情報、提案されるサービス等に基づいてよい。例えば、小さなデータレートのアイドルモードにあるMTCタイプのUEは、或るグループに属する専用セルにキャンプするように判断してもよい。更に、UEは、促進されるサービスのため及び少ない信号オーバーヘッド処理のため、そのようなグループのメンバになってもよい。何れのセルを選択するかを決定するために、数式1ないし8で使用されるものに類似するオフセットが使用されてもよい。UEは、サポートされるサービスに基づいて、特定のセルへのセル再選択の実行を許可されてもよい。
【００１９】
セル再選択は、専用ノードをサポートしたeNBに優先性を付与してもよい。一実施例では、対応する専用ノードをサポートしないセルから、対応する専用ノードをサポートするセルに向かって再選択するか否かを判定するために、閾値が使用されてもよい。例えば、閾値Threshx,Dedicatedは、専用ノードをサポートするeNBへ再選択するためのSrxlev閾値を指定してもよい。各専用ノードが異なる閾値を有していてもよい。代替的又は追加的に、Threshx,DedicatedRAN及びThreshx,DedicatedEPCが、それぞれ、専用RAN又は専用EPCをサポートするeNBへ再選択するためのSrxlev閾値として使用されてもよい。各々の専用RANが異なる閾値を有し、各々の専用EPCが異なる閾値を有してもよい。
【００２０】
ノード毎、周波数毎、等々につき個別化されることが可能な複数の重複するネットワーク(例えば、様々な無線アクセス技術(RAT)、様々な周波数等)のうちの何れかに、UEは通信可能に結合することが可能である。例えば、第1周波数レイヤはMTCに特化されてもよいし、第2周波数はビデオに特化されてもよい。UEは、UEのタイプに特化された及び/又は所望のアプリケーション/サービスに特化されたノード及び/又は周波数レイヤを選択してもよい。アイドルモードにある場合、UEは、そのUEに最も最適化されたノード及び/又は周波数レイヤに再選択してもよい。Srxlev閾値としての閾値ThreshX,DedicatedFreqは、専用周波数をサポートしないセルから、専用周波数をサポートするセルへ再選択する場合に使用される。各々の専用周波数は異なる閾値を有してもよい。
【００２１】
イントラ周波数及び同一優先度の周波数間のセル再選択の場合に、専用ノードのオフセットとともに再選択基準が計算されてもよい。例えば、再選択基準は次の数式に従って計算されてもよい：
Rs＝Qmeas,s＋QHyst      (9)
Rn＝Qmeas,n−Qoffset      (10)
ここで、Rsはサービングセルに対する再選択基準であり、Rnは隣接セルに対する再選択基準であり、Qmeas,s及びQmeas,nはそれぞれサービングセル及び隣接セルからのセル再選択に使用されるRSRP測定量であり、QHystはヒステリシス値である。ここで、イントラ周波数に関し、Qoffsetは、Qoffsets,nが有効であるならばQoffsets,nに等しく、そうでなければゼロに等しく、及び、周波数間の測定(又は尺度)に関し、Qoffsetは、Qoffsets,n及びQoffsetdedicatedが有効であるならば、Qoffsets,nプラスQoffsetfrequency(等しい優先度のE-UTRAN周波数に関する周波数固有のオフセット)プラスQoffsetdedicated(セルが専用ネットワークをサポートするか否かを考慮するためのオフセット)に等しく、そうでない場合であって、Qoffsets,nが有効であるならば、Qoffsets,nプラスQoffsetfrequencyに等しく、そうでなければQoffsetfrequencyに等しい。代替例では、専用オフセットがQoffsetに含まれず、数式10の別個の要素として含まれてもよい。
【００２２】
UEは、(例えば、1つ以上の数式1ないし8によるセル選択基準を利用して)更新されたセル選択基準S＞0を充足する全てのセルのランキングを実行してもよい。セルは、(例えば、数式9及び10に従うRs及びRnのような)再選択基準に従ってランキングされてもよい。UEは、Qmeas,n及びQmeas,sを取得するために測定を実行し、平均RSRPの結果を利用して再選択基準を計算してもよい。UEは、最良のセルとしてランキングされたセルへのセル再選択を実行してもよい。
【００２３】
アプリケーション/サービス、ノードタイプ、トラフィックタイプ、契約申し込み、UEモビリティ及び/又は等々に基づいて、ノードは、選択及び/又は再選択に関して優先されてもよい。優先されるノードは、優先される特定のコンフィギュレーションをサポートする特定の特徴を含んでよい。例えば、優先されるノードは、動的なon/offによるビーム整形などを含んでもよい。一実施例では、アプリケーション又はノードタイプ及びUEモビリティの組み合わせは、UEが選択/再選択すべきセルを決定するための良いパラメータを提供する。例えば、大きな移動度及び小さなデータトラフィックのタイプのUEは、スモールデータの最適化/エンハンスメントをサポートするが、他のパラメータを迅速には変更しないセル(例えば、頻繁にオン及びオフを切り替えるセルではないセル)へ選択/再選択してよい。
【００２４】
ノードは所定のカテゴリ化によって優先されてもよい。カテゴリ化は、仕様で予め決定されてもよいし、ネットワークオペレータにより予め決定されてもよいし、等々であってよい。ノード群及び/又はノードグループは、何れのセル、周波数又はグループが各カテゴリに所属するかをUEに通知してもよい。UEは、所定の一群のルールを利用して、UEが選択/再選択すべきカテゴリ及び/又はグループを決定してもよい。ルールは、時間、場所、コンフィギュレーション情報、報知情報、提案されるサービス等に基づいてもよい。UEが選択/再選択すべきセルを決定するために、数式9、10で使用されるもののようなオフセット及び/又はカテゴリ固有の閾値が使用されてもよい。
【００２５】
セル選択及び/又は再選択オフセット及び/又は再選択閾値は、周波数の優先度の場合と同様な仕方で、個々のeNBによりシステム情報ブロック(SIB)で報知されてもよい。代替的又は追加的に、オフセット及び/又は閾値は、コーディネートされたクラスタ内の複数のeNBsに対するセントラル制御eNBにより報知されてもよい。セントラル制御eNBによる報知(又はブロードキャスト)は、報知情報をデコードするUEにとってシグナリング及び遅延を最小化し、帯域幅の消費を減らす。一実施例において、オフセット及び/又は閾値は、コネクティッドモードでUEが通信可能に結合された最後のeNBにより設定されてよい。ＵＥは、情報がいつ期限切れになるかを判定するためにタイマーを利用してもよい。一実施例では、ＵＥは、タイマーが満了した後に、SIBからの情報を更新してもよい。
【００２６】
UEのコンフィギュレーション情報は様々な仕方で提供されてよい。コンフィギュレーション情報は、セル選択及び/又は再選択オフセット、再選択オフセット、ノードによりサポート及び/又は優先されるアプリケーション/サービスのビットマップ、UEにより要求されるアプリケーション/サービスの指示、ノードが特化されているか否かの指示、UEが特化されているか否かの指示、ノードが優先ノードであるか否かの指示、優先ノードを決定するためのUEタイプの指示、ノードが所属するカテゴリ及び/又はグループの指示、UEが所属するカテゴリ及び/又はグループの指示、専用周波数の指示などを含んでよい。
【００２７】
一実施例では、コンフィギュレーション情報は、アクセスネットワークディスカバリ選択機能(access  network  discovery  and  selection  function：ANDSF)により提供されてもよい。コンフィギュレーション情報は、加入情報に含まれてもよい。UEは、(例えば、僅かなデータしか処理できないMTCデバイス等のような)専用UEであるように事前に設定されてもよいし、及び/又は、(例えば、専用周波数のような)周波数に関して事前に設定されてもよい。UEは、eNB又は他のネットワークノードにアタッチする際に提供されてもよいコンフィギュレーション情報のネットワーク指示を受信する(例えば、ノンアクセスストラタム(NAS)メッセージ、無線リソース制御(RRC)メッセージ等を受信する)。コンフィギュレーション情報は、所定のルール及び/又は状態ないしネットワーク実現手段に基づいて決定されてもよい。コンフィギュレーション情報は、SIBに含まれてもよい。一実施例では、コンフィギュレーション情報の様々な要素が、様々な仕方で提供されてよい。
【００２８】
MME識別子(MME  Identifier：MMEI)は、対応するMMEが専用ノードであることを示すように設定されてよい。MMEIの特殊な符号化を利用して、MMEを専用ノードとして識別してもよいし、及び/又は、MMEが何れのタイプの専用ノードであるかを識別してもよい。グローバルに固有のMMEI(globally  unique  MMEI：GUMMEI)が、モバイル国コード(MCC)、モバイルネットワークコード(MNC)及びMMEIから構成されてもよい。MMEIは、MMEグループID(MMEGI)及びMMEコード(MMEC)から構成されてもよい。一実施例では、MMEは専用MMEであるか否かを区別するために、MMEIの最上位ビットが反転されてもよい。例えば、パケットテンポラリモバイル加入者識別子P-TMSI(packet  temporary  mobile  subscriber  identity)、ルーティングエリア識別子RAI(a  routing  area  identification)等から、GUMMEIがマッピングされるか否かを示すために、最上位ビットが反転されてもよく、及び、MMEが専用MMEであることを示し、及び/又は、MMEによりサポートされるUEのタイプやカテゴリ等を識別するために、次の1つ以上の最上位ビットが反転されてもよい。
【００２９】
代替的又は追加的に、MMECの1つ以上の最上位ビットは、GUMMEIが専用MMEにマッピングされるか否かを示すために、及び/又は、MMEによりサポートされるUEのタイプやカテゴリ等を識別するために、反転されてもよい。一実施例では、MMEIは、MMEGI、MMEC及び専用MMEI(DMMEI)から構築されてもよい。例えば、DMMEIは、8,16等のビット長であってもよく、MMEGI及びMMECの後に付け加えられてもよい。DMMEIの様々な符号化及び値は、MMEによりサポートされるUEのタイプやカテゴリ等を通知するために使用され、及び/又は、異なる符号化がMMEモード選択のために使用されてもよい。例えば、所定のDMMEIはMTCトラフィックに特化されたMMEを識別してもよい。
【００３０】
状況によっては、選択及び/又は再選択に関してコンフィギュレーション情報及び/又はポリシが存在しないかもしれない。そのような状況では、UEは、選択及び/又は再選択基準を判定するために、従来の計算を利用してもよい。複数のポリシが設定されている場合、UEの実装に依存して及び/又はネットワークから優先度の指示を受信することにより、各ポリシの優先度が決定されてもよい。上述したポリシは、既存の周波数の優先性のポリシとともに連携してもよい。上述のポリシ及び周波数ポリシの相対的な優先度は、ネットワークにより事前に決定されてもよいし、及び/又は、仕様で事前に決定されてもよい。上記のポリシは、周波数の優先度ポリシより高い優先度であってもよいし、その逆であってもよい。
【００３１】
図1は複数のMMEs/SGWs110,115及びeNBs121,122,125を有するシステム100の概略図である。MMEs/SGWs110,115は、汎用(ordinary)MME/SGW110及び専用(dedicated)MME/SGW115を含んでよい。1つのMME/SGW(以下、単にMMEのように言及される)のうちのMME及びSGW機能は、物理的又は論理的に結びついていてもよいし或いは結びついていなくてもよい。同様に、eNBs121,122,125は汎用eNBs121,122及び専用eNB125を含んでよい。eNBs121,122,125はX2プロトコルにより互いに通信可能に結合されてもよい。MMEs110,115はS10/S11プロトコルにより互いに通信可能に結合されてもよい。eNBs121,122,125はS1プロトコルによりMMEs110,115に通信可能に結合されてもよい。専用eNB125は、汎用MME110及び/又は専用MME115に通信可能に結合されてもよい。同様に、汎用eNBs121,122は専用MME115及び/又は汎用MME110に結合されてもよい。
【００３２】
様々なUEs150,155はeNBs121,122,125のうちの1つ以上に通信可能に結合されてよい。UEs150,155は、汎用UE150と、MTCを利用するように構成されるヘルスUE(health  UE)155とを含んでよい。専用eNB125及び/又は専用MME115は、MTCのサポート及び/又は優先度を提供してもよい。従って、ヘルスUE155のパフォーマンスは、専用eNB125及び/又は専用MME115につながる場合、改善される。ヘルスUE155は、汎用eNBs121,122及びMME110をよりも、専用eNB125及び/又は専用MME115を優先するように、セル選択及び/又は再選択基準を調整してもよい。
【００３３】
図2は、様々なタイプの複数のeNBs210,215,221-226,230を含むシステム200の概略図である。複数のeNBs210,215,221-226,230は、異なるRATsを含んでもよいし、及び/又は、異なる周波数レイヤを使用してもよい。例えば、第1セットのeNBs210,215(第1群のeNBs)は、マクロセル210と同じ周波数レイヤにあり且つマクロセル210とカバレッジが重複するスモールセル215を含む。第2セットのeNBs221-226は、クラスタとして配備される複数のスモールセルと、クラスタ化されてない複数のスモールセル225,226とを含む。第3セットは、ビームフォーミング機能を備えるeNB230を含む。複数のeNBs210,215,221-226,230は、様々な専用の及び/又は優先されるノードをサポートしてよい。
【００３４】
そのような複合的なネットワーク配置においては、使用する特定のeNB及び/又は周波数レイヤの決定を、UE(図示せず)に許容することは、有用である。UEは、好ましいネットワークの指示を受信してもよいし、及び/又は、所定のルールに基づいてeNB及び/又は周波数レイヤを決定してもよい。例えば、eNB210,215,221-226,230が所望のタイプ、カテゴリ等の専用eNBであるか否かに基づいて、eNB210,215,221-226,230が専用のコアネットワークノード(例えば、MME、SGW、PGW等)をサポートしているか否かに基づいて、及び/又は、eNB210,215,221-226,230が、特定のアプリケーション、アプリケーションカテゴリ、QCI等(それらとともにUEは設定されている)を提供するように最適化されているか否かに基づいて、UEは優先度を調整してもよい。優先度は、セル選択及び/又は再選択を実行する場合に、上述したように、オフセット、閾値などを利用して調整されてもよい。
【００３５】
図3は、複数のeNBs310,320及びそれらの対応するカバレッジ領域を含むシステム300の概略図である。複数のeNB310,320は、専用ノードをサポートしないマクロeNB310と、専用ノードをサポートするスモールセルeNB320(例えば、マイクロセル、ピコセル、フェムトセル等)とを含んでよいし、あるいは逆の関係が利用されてもよい。UE350は、通信のためにつながるべきeNBを決定するために、セル選択及び/又はセル再選択を実行しているかもしれない。UE350は、マクロeNB310のカバレッジ領域内に存在するが、スモールセルeNB320の本来の(traditional)カバレッジ領域(実線で示されている)の外側に存在する。本来のカバレッジ領域は、マクロeNB310からスモールセルeNB320へオフロードすることの促進を行ってもよいし、それを含まなくてもよい。
【００３６】
UE350は、スモールセルeNB320によりサポートされる専用ノードによりサポート又は優先されるタイプ、カテゴリ等を有するかもしれない。従って、UE350がセル選択及び/又は再選択を実行している場合、スモールセルeNB320が優先されてもよい。スモールセルeNB320と通信可能に結合するようにUE350を促進するように、専用のスモールセルeNB320に対するセル選択及び/又は再選択の基準にバイアスを設定するために、オフセットが利用されてもよい。バイアスが含められる場合のカバレッジ領域は、より大きな破線の円で図示されている。UE350は、カバレッジ領域の外側に存在することを理由に、通常的には、スモールセルeNB320を選択及び/又は再選択しないであろう。しかしながら、UE350は、オフセットが含められる場合のカバレッジ領域内に存在するので、それが専用ノードをサポートするならば、UE350はスモールセルeNB320を選択する。十分に応対されそうにないUE又は専用ノードにより害を被るかもしれないUEに対して、逆のバイアスをかけるようにオフセットが使用されてもよい。スモールセルeNB320との通信接続を抑制するオフセットが包含される場合のカバレッジ領域は、より小さな破線の円で示されている。
【００３７】
図4は、専用ノードによりサポートされるサービス及び/又はアプリケーションを通信するためのシステム400の概略図である。システム400は、UE450と通信可能に結合されるeNB410を含む。eNB410は専用ノードをサポートする。例えば、eNB410は、専用eNBであってもよいし、及び/又は、専用MME、SGW及び/又はPGWをサポートしてもよい。1つ以上のアプリケーション及び/又はサービスが、専用ノードによりサポートされてもよい。更に、UE450は、サポート及び/又は優先することをUEが望む1つ以上のアプリケーション及び/又はサービスを有するかもしれない。eNB410は、サポートされているアプリケーション及び/又はサービスを示すビットマップ420を送信してもよい。eNB410はビットマップ420を判定し、及び/又は、ビットマップ420は、専用MME、SGW、PGW等からeNB410により受信され、UE450に転送されてもよい。
【００３８】
ビットマップ中の各ビットはアプリケーション及び/又はサービスに対応し、ビットの値は、アプリケーション及び/又はサービスがサポートされているか否かを示す。各ビットに対応する特定のアプリケーション及び/又はサービスは、仕様で事前に決定されていてもよいし、ネットワークにより事前に決定されていてもよいし、及び/又は、他の方法で決定されていてもよい。UE450は、サポート及び/又は優先したいと思うアプリケーション及び/又はサービスを示す自身のビットマップを維持してもよいし或いは構築することが可能であってもよい。UEビットマップ及びeNB410から受信されるビットマップは、何らかの一致の存否を判定するために比較される。例えば、論理AND演算がビットマップについて実行され、何れのアプリケーション及び/又はサービスがeNB410及び専用ノードによりサポートされているか否かを判定してもよい。一致が発見されると、選択及び/又は再選択の基準のためのオフセットが決定される。複数の一致が発見される場合、オフセットは、累積的なものであってもよいし、一致したもののうち最大のオフセットであってもよいし、或いは、主要な又は最も重要なアプリケーション及び/又はサービスに基づいて決定されてもよい。UE450は、セル選択及び/又は再選択を実行する場合に、オフセットを利用してよい。
【００３９】
図5は、一実施例によるGUMMEI510の構成についての概略図500である。GUMMEI510は、MCC521、MNC522及びMMEI523から構成されてもよい。MCC521、MNC522及びMMEI523は、GUMMEI510を形成するようにともに連結されてよい。MMEI523は、MMEGI531及びMMEC532から構成されてもよい。図示の例では、MMEI523は、DMMEI533によっても構成されている。MMEGI531、MMEC532及び/又はDMMEI533は、MMEI523を形成するようにともに連結されてよい。DMMEI533の値は、何れのタイプ及び/又はカテゴリのUEがMMEによりサポート及び/又は優先されるかを示す(各々の値は、サポートされる特定のタイプ、カテゴリ等に対応してもよい)。
【００４０】
DMMEI533に追加的に又は代替的に、MMEGI531及び/又はMMEC532の最上位ビット(群)が判定され、そのMMEは専用MMEであるか否か、及び/又は、何れのタイプ及び/又はカテゴリのUEがそのMMEによりサポート及び/又は優先されるかを示してもよい。一実施例では、反転されたビットは、どの特定のタイプ及び/又はカテゴリのUEがサポートされるかを示すことなく、MMEが専用MMEであるか否かのみを示してもよい。何れの特定のタイプ及び/又はカテゴリのUEがサポートされているかを通知するために、別々のシグナリングが使用されてもよい。代替的に、様々な値の反転ビットが、MMEによりサポートされるUEのうちの様々なタイプ及び/又はカテゴリに対応してもよい。
【００４１】
図6は、eNBのカテゴリに基づいて、eNBを選択及び/又は再選択する方法600のフローチャートである(eNBのカテゴリに基づくことは、例えば、eNBが専用ノードをサポートするか否か、専用ノードによりサポートされるUEのタイプ、専用ノードによりサポートされるUEのカテゴリ、専用ノードによりサポートされるアプリケーション/サービス、専用ノードがRANノード又はEPCノードであるか否か等であってもよい)。方法600は、eNBを選択又は再選択する場合に、eNBの1つ以上のカテゴリを示すSIBを受信することにより始まる(602)。一実施例では、eNBの1つ以上のカテゴリを示すSIBの代わりに又はそれに加えて、他のメッセージが使用されてもよい。UEカテゴリ及び/又はタイプが判定され(604)、eNBカテゴリと比較され、eNB及び/又は専用ノードがUEカテゴリをサポート及び/又は優先するか否かを判定する。eNB及び/又は専用ノードがそのUEカテゴリをサポート及び/又は優先しない場合、セル選択オフセットが確認されてもよい。
【００４２】
eNBからの信号が測定される(606)。例えば、信号のRSRP及び/又はRSRQが、信号の測定に基づいて判定されてもよい。判定されたカテゴリに対するセル選択オフセットが、信号測定値に対して加算され(608)或いはそこから減算されてもよい。例えば、セル選択基準を計算するために、1つ以上の追加的なオフセット、最小レベル、補償値などに加えて、判定されたカテゴリに対するセル選択オフセットが加算又は減算されてもよい。専用カテゴリに関するセル選択オフセットにより調整された信号測定値に基づいて、eNBが選択されてもよい(610)。例えば、eNBは、セル選択基準がゼロより大きい場合に、選択されてもよい。
【００４３】
ある時点で、新たなeNBへ再選択するか否かを判断するために、再選択測定が実行されるべきことが、確認されてもよい(612)。サービングeNB及び/又は1つ以上の隣接eNBに関して信号が測定されてもよい(614)。測定される各々のeNBについてRSRP及び/又はRSRQを判定することにより、信号が測定されてもよい。測定値は、各セルのカテゴリに基づいて調整されてもよい(616)。例えば、各eNBのカテゴリは、サービングeNBから、及び/又は、サービング及び/又は隣接eNBの各々から個別的に、受信されてもよい。各eNBのオフセットは、対応する受信カテゴリに対して判定されてもよいし、及び/又は、サービング及び/又は隣接eNBから受信されてもよい。各々の測定値は、対応するオフセットにより調整される。例えば、各eNBのための再選択基準は、他のオフセットが有効である場合には、1つ以上の他のオフセットに加えて、測定値及びカテゴリオフセットから計算されてよい。
【００４４】
調整された測定値は互いに比較される(618)。一実施例では、セル再選択基準は各々のeNBに対して計算されてよい。ゼロより大きなセル再選択基準を有する各eNBは、再選択基準に基づいてランキングされてもよい。新たなeNBへセル再選択するか否かは、比較に基づいて判定されてもよい(620)。例えば、UEは、最高にランキングされた再選択基準を有するeNBへのセル再選択を決定してもよい。一実施例では、サービングeNBは専用ノードをサポートせず、隣接eNBが専用ノードをサポートしているかもしれない。セル再選択基準を計算するのではなく、サービングeNBから隣接eNBへセル再選択するか否かを判定するために、閾値が使用されてもよい。隣接eNBに関して閾値が判定されてもよい。隣接eNBに関する信号測定値を閾値と比較し、隣接eNBへ再選択するか否かを判定してもよい。
【００４５】
図7はモバイルデバイスの例示であり、モバイルデバイスは、例えば、UE、移動局(MS)、モバイルワイヤレスデバイス、モバイル通信デバイス、タブレット、ハンドセット、又は、他のタイプのワイヤレス通信デバイス等であってよい。モバイルデバイスは、送信局と通信するように構成される1つ以上のアンテナを含むことが可能であり、送信局は、例えば、基地局(BS)、eNB、ベースバンドユニット(BBU)、リモート無線ヘッド(RRH)、リモート無線装置(RRE)、中継局(RS)、無線装置(RE)、又は、他のタイプのワイヤレスワイドエリアネットワーク(WWAN)のアクセスポイント等であってよい。モバイルデバイスは、少なくとも1つの無線通信規格を利用して通信するように構成されることが可能であり、無線通信規格は、例えば、3GPP-LTE、WiMAX、高速パケットアクセス(HSPA)、ブルートゥース(登録商標)及びWi-Fi等であってよい。モバイルデバイスは、無線通信規格の各々のための別個のアンテナ、又は、複数の無線通信規格のための共有アンテナを利用して通信することが可能である。モバイルデバイスは、無線ローカルエリアネットワーク(WLAN)、無線パーソナルエリアネットワーク(WPAN)及び/又はWWAN等において通信することが可能である。
【００４６】
図7は、モバイルデバイスの音声入出力に使用されることが可能なマイクロフォン及び1つ以上のスピーカの記号も示している。表示スクリーンは、液晶表示(LCD)スクリーン、或いは、有機発光ダイオード(OLED)ディスプレイ等のような他のタイプの表示スクリーンであってもよい。ディスプレイスクリーンは、タッチスクリーンとして構成されることが可能である。タッチスクリーンは、容量式、抵抗式、或いは、他のタイプのタッチスクリーン技術を利用してもよい。アプリケーションプロセッサ及びグラフィックスプロセッサは、処理及び表示能力を提供するために内部メモリに結合されることが可能である。不揮発性メモリポートは、ユーザーに対するデータ入力/出力オプションを提供するように使用されることが可能である。不揮発性メモリポートは、モバイルデバイスのメモリ能力を拡張するために使用されてもよい。キーボードは、モバイルデバイスに統合されてもよいし、或いは、追加的なユーザー入力機能を提供するためにモバイルデバイスに無線で接続されてもよい。タッチスクリーンを利用して、仮想キーボードが提供されてもよい。
【００４７】
＜具体例＞
以下、更なる形態を例示的に列挙する。
【００４８】
具体例1はE-UTRANと通信するように構成されるUEである。UEは、トランシーバと、トランシーバに結合されるプロセッサとを含む。プロセッサはeNBからの信号測定するように構成される。プロセッサは、eNBが対応する専用ノードをサポートするか否かを判定するように構成される。プロセッサは、信号の測定とeNBが専用ノードをサポートするか否かの判断とにより、セル再選択基準を計算するようにも構成される。
【００４９】
具体例2において、具体例1のプロセッサは、専用のRANノード及び専用のコアネットワークノードより成る群から選択される専用ノードをサポートするか否かを判定するように構成される。
【００５０】
具体例3において、具体例1-2の何れかのプロセッサは、eNBが特定のアプリケーション/サービスをサポートするか否かを判定するように構成される。プロセッサは、eNBが特定のアプリケーション/サービスをサポートするか否かの判定に基づいて、セル選択基準を計算するようにも構成される。
【００５１】
具体例4において、具体例1-3の何れかのプロセッサは、eNBが所定のカテゴリに関連するか否かを判定するように構成される。プロセッサは、eNBが所定のカテゴリに関連するか否かの判定に基づいて、セル選択基準を計算するようにも構成される。
【００５２】
具体例5において、具体例1-4の何れかのeNBは、対応する専用ノードをサポートしていない。プロセッサは、隣接eNBが対応する専用ノードをサポートするか否かを判定するように構成される。プロセッサは、隣接eNBからの信号を測定するようにも構成される。プロセッサは、隣接eNBについての再選択基準を計算するようにも構成される。プロセッサは、再選択基準が閾値を超えるか否かを判定するようにも構成される。
【００５３】
具体例6において、具体例5のプロセッサは、隣接eNBが対応する専用ノードをサポートするか否かに基づいて、閾値を選択するように構成される。
【００５４】
具体例7において、具体例1-6の何れかのプロセッサは、eNBからSIBを受信することにより、eNBが専用ノードをサポートするか否かを判定するように構成される。
【００５５】
具体例8において、具体例1-7の何れかのプロセッサは、MMEが専用MMEであるか否かを、MMEが専用MMEであるか否かを示すMME識別子を受信することにより判定するように構成される。
【００５６】
具体例9は優先ノードに基づいてセルを選択する方法である。本方法は、対応する専用コアネットワークをサポートしない基地局と通信可能に結合するステップを含む。本方法は、プロセッサを利用して、隣接基地局が、対応する専用コアネットワークをサポートしていることを判定するステップも含む。本方法は、プロセッサを利用して、基地局に対する再選択基準を、対応する信号測定値に基づいて計算するステップも含む。本方法は、プロセッサを利用して、対応する信号測定値と、対応する専用コアネットワークをサポートする基地局に対する所定のオフセットとに基づいて、隣接基地局の再選択基準を計算するステップも含む。本方法は、プロセッサを利用して、基地局の再選択基準を隣接基地局の再選択基準と比較し、隣接基地局を再選択するか否かを判定するステップも含む。
【００５７】
具体例10において、具体例9の隣接基地局の再選択基準は、特定のアプリケーション、特定のノードタイプ、特定のトラフィックタイプ、特定の契約申し込み、及び、特定のデバイスモビリティより成る群から選択される特徴をサポートする基地局に対するオフセットに基づいて計算される。
【００５８】
具体例11において、具体例9-10のうちの何れかの隣接基地局の再選択基準は、所定のカテゴリに属する基地局のオフセットに基づいて計算される。
【００５９】
具体例12において、具体例9-11のうちの何れかの方法は、隣接基地局によりサポートされるアプリケーションを示すビットマップを受信するステップを更に有する。
【００６０】
具体例13において、具体例9-12のうちの何れかの、隣接基地局が対応する専用コアネットワークをサポートしていることを判定するステップは、隣接基地局が対応する専用コアネットワークをサポートしていることを示す指示を受信することを含む。
【００６１】
具体例14において、具体例13の指示は、アクセスネットワークディスカバリ選択機能メッセージ、ノンアクセスストラタムメッセージ、及び、システム報知情報より成る群から選択される。
【００６２】
具体例15において、具体例9-14のうちの何れかの、隣接基地局が対応する専用コアネットワークをサポートしていることを判定するステップは、専用コアネットワークの識別子を受信することを含む。
【００６３】
具体例16において、具体例9-15のうちの何れかの方法は、隣接基地局への再選択の判断に応じて、隣接基地局へ再選択を行うステップも含む。
【００６４】
具体例17は、具体例9-16のうちの何れかに記載の方法を実行する手段を有する装置である。
【００６５】
具体例18は、コンピュータ読み取り可能な命令を保存した少なくとも1つのコンピュータ読み取り可能な記憶媒体であり、その命令は、実行されると、上記の具体例に記載されるような方法を実行する又は装置を実現する。
【００６６】
具体例19は回路を有する無線通信装置である。回路は、基地局が対応する専用ノードをサポートするか否かに基づいて、オフセットを選択するように構成される。回路は、基地局により送信される信号の信号測定値を受信するようにも構成される。回路は、オフセット及び信号測定値に基づいて選択基準を計算するようにも構成される。回路は、選択基準に基づいて、基地局を選択するか否かを判定するようにも構成される。
【００６７】
具体例20において、具体例19の回路は、何れのアプリケーション及びサービスが基地局により提供されるかに基づいて、オフセットを選択するように構成される。
【００６８】
具体例21において、基地局がマシン型通信をサポートするか否かに基づいて、オフセットを選択するように構成される。
【００６９】
具体例22において、具体例19-21のうちの何れかの回路は、隣接基地局が対応する専用ノードをサポートするか否かに基づいて、再選択オフセットを選択するように更に構成される。回路は、隣接基地局により送信される信号の信号測定値を受信するようにも構成される。回路は、隣接基地局により送信された信号の信号測定値及び再選択オフセットに基づいて、再選択基準を計算するようにも構成される。回路は、再選択基準に基づいて、隣接基地局を再選択するか否かを判定するようにも構成される。
【００７０】
具体例23において、具体例19-22のうちの何れかの無線通信装置は、専用の無線通信装置であるように事前に設定されている。
【００７１】
具体例24において、具体例19-23のうちの何れかの回路は、対応する専用ノードに関する識別子における1つ以上の反転されたビットに基づいて、基地局が対応する専用ノードをサポートするか否かを判定するように構成される。
【００７２】
様々な技術又は所定の形態又はその一部は、有形の媒体に組み込まれるプログラムコード(すなわち、命令)の形式をとってもよく、そのような媒体は、フロッピディスク、CD-ROM、ハードドライブ、非一時的なコンピュータ読み取り可能な記憶媒体、或いは、他の任意のマシン読み取り可能な記憶媒体などであり、この場合において、プログラムコードは、コンピュータ等のようなマシンによりロードされて実行され、これによりマシンは様々な技術を実施する装置になる。プログラム可能なコンピュータにおいてプログラムコードを実行する場合において、コンピューティングデバイスは、プロセッサ、プロセッサにより読み取り可能な記憶媒体(揮発性及び不揮発性のメモリ及び/又はストレージ要素を含む)、少なくとも1つの入力デバイス、及び、少なくとも1つの出力デバイスを含む。揮発性及び不揮発性のメモリ及び/又はストレージ要素は、RAM、EPROM、フラッシュドライブ、光ドライブ、磁気ハートドライブ、又は、電子データを保存する他の媒体であってもよい。eNB(又は他の基地局)及びUE(又は他の移動局)も、トランシーバコンポーネント、カウンタコンポーネント、プロセシングコンポーネント、及び/又は、クロックコンポーネント又はタイマーコンポーネントを含んでよい。本願に記述される様々な技術を実現又は利用する1つ以上のプログラムは、アプリケーションプログラミングインターフェース(API)や、再利用可能な制御部などを利用してよい。そのようなプログラムは、コンピュータシステムと通信するように、ハイレベルの手順又はオブジェクト指向のプログラミング言語で実現されてもよい。しかしながら、プログラムは、必要に応じて、アセンブリ又はマシン言語で実現されてもよい。何れにせよ、その言語はコンパイル又は解釈される言語であってよく、ハードウェア実現手段に組み込まれてよい。
【００７３】
本明細書に記述される多くの機能ユニットは、1つ以上のコンポーネントとして実現されてよいことが、理解されるべきである(コンポーネントは、各自の実現の独立性を特に強調するためにしようされる用語である)。例えば、コンポーネントは、カスタム化されたVLSI(very  large  scale  integration)回路又はゲートアレイ、オフザシェルフ半導体(例えば、論理チップ)、トランジスタ、又は、他の個別素子を含むハードウェアとして実現されてよい。コンポーネントは、フィールドプログラマブルアレイ、プログラマブルアレイ論理装置、プログラマブル論理装置などのようなプログラム可能なハードウェアデバイスで実現されてもよい。
【００７４】
コンポーネントは、様々なタイプのプロセッサによる実行のためのソフトウェアで実現されてもよい。実行可能コードのうち特定のコンポーネントは、例えば、コンピュータ命令のうちの1つ以上の物理的又は論理的なブロックを有し、そのブロックは例えばオブジェクト、プロシジャ又はファンクションとして組織されてもよい。しかしながら、特定のコンポーネントの実行ファイルは、物理的に一緒に配置される必要はなく、様々な場所に保存される分散した命令を含んでよく、それらの命令は、論理的に一緒に統合されると、コンポーネントを構成し、そのコンポーネントについての上記の目的を達成する。
【００７５】
実際、実行可能コードのコンポーネントは、単独の命令であってもよいし或いは多くの命令であってもよく、複数の異なるコードセグメントにわたって、特に、異なるプログラムにわたって及び複数のメモリデバイスにわたって、分散されることさえ可能である。同様に、処理データは、コンポーネントにおいて識別及び説明され、及び、適切な任意の形式で組み込まれ、適切な任意のタイプのデータ構造で組織されてよい。処理データは、単独のデータセットとして収集されてもよいし、或いは、異なるストレージデバイスに及ぶことを含む異なる場所にわたって分散されてもよく、システム又はネットワークにおける単なる電子信号として少なくとも部分的に存在してよい。所望の機能を実行するように動作することが可能なエージェントを含むコンポーネントは、受動的であっても能動的であってもよい。
【００７６】
本明細書を通じて「例」という言い回しは、その例に関連して記述される特定の特性、構造又は特徴が、本開示の少なくとも1つの形態に含まれることを意味する。従って、本明細書を通じて様々な場所で「例」という言い回しが登場していることは、必ずしも全てが同じ実施形態を言及しているわけではない。
【００７７】
本願で使用されるように、複数のアイテム、構造要素、複合的な要素、及び/又は、材料は、便宜上の一般的なリストで提示されてよい。しかしながら、これらのリストは、あたかも、リストの各メンバが個別的かつ固有のメンバとして個別的に識別されるように解釈されるべきである。そのようなリストの個々のメンバは、別段の指示なしに、一般的なグループ内で提示されていることのみに基づいて、同じリスト中の他の何らかのメンバの事実上の均等物として解釈されるべきではない。更に、本開示の様々な形態及び実施例は、その様々なコンポーネントの代替例とともに本願で言及されてよい。そのような形態、具体例及び代替例は、互いの事実上の均等物として解釈されるべきでなく、本開示の個別の自立した表現として解釈されるべきであることが、理解される。
【００７８】
以上、簡明化の観点から詳細に説明されてきたが、それらの原理から逸脱することなく、何らかの変更及び修正がなされてよいことが、明らかであろう。本願で説明されたプロセス及び装置の双方を実現する多くの代替的な手法が存在することに留意すべきである。従って、本願の実施形態は、例示であって限定ではないと解釈されるべきであり、本開示は本願で与えられる詳細な事項に限定されず、添付の特許請求の範囲の目的及び均等物の範囲内で修正されてよい。
【００７９】
本開示の前提とする原理から逸脱することなく、上記の実施形態の詳細事項に対して、多くの変更がなされてよいことを、当業者は認めるであろう。従って本願の目的は特許請求の範囲によってのみ決定されるべきである。
【図１】
0006404364.tif 000002
【図２】
0006404364.tif 000003
【図３】
0006404364.tif 000004
【図４】
0006404364.tif 000005
【図５】
0006404364.tif 000006
【図６】
0006404364.tif 000007
【図７】
0006404364.tif 000008